(57)【要約】【課題】  内容物の流路を形成する円筒部と円筒部の外周に肩部を介して連設し容器口部に外嵌するカバー部とからなる中栓と、注出口を有し中栓に下降可能に嵌合する注出口部材と、注出口を閉塞する注出口キャップとを備え、円筒部には流路を閉塞する閉塞板部が破断可能に形成され、注出口部材には注出口部材の下降に伴い閉塞板部を破断して円筒部を開口するための破断筒が注出口に連通して形成された容器用キャップにおいて、運搬時の積重による荷重等により帯状部が切除されることを防止し、且つ製造を容易とする。【解決手段】  注出口部材４には径方向外方に張り出す張出部４５が形成され、肩部３２には肩部３２と張出部４５との間に位置させて注出口部材４の下降を規制する切除可能な帯状部３４が形成され、帯状部３４を肩部３２から切除することにより規制が解除され注出口部材４が下降可能となる。【選択図】  図１
2006341866.tif 000002
【特許請求の範囲】
【請求項１】
容器に収容された内容物の流路を形成する円筒部と円筒部の外周に肩部を介して連設し容器口部に外嵌するカバー部とからなる中栓と、注出口を有し中栓に下降可能に嵌合する注出口部材と、注出口を閉塞する注出口キャップとを備え、円筒部には流路を閉塞する閉塞板部が破断可能に形成され、注出口部材には、注出口部材の下降に伴い閉塞板部を破断して円筒部を開口するための破断筒が、注出口に連通して形成された容器用キャップにおいて、
前記注出口部材には、径方向外方に張り出す張出部が形成され、
前記肩部には、肩部と張出部との間に位置させて、注出口部材の下降を規制する切除可能な帯状部が形成され、
帯状部を肩部から切除することにより規制が解除され注出口部材が下降可能となることを特徴とする容器用キャップ。
【請求項２】
前記注出口部材は、前記注出口と前記破断筒とを有する天板部と、天板部の周縁から垂下し外周に前記張出部が形成された周壁部とを備え、
周壁部が前記円筒部に下降可能に外嵌され、
前記肩部に周壁部を受け入れる環状溝部が形成されていることを特徴とする請求項１記載の容器用キャップ。
【発明の詳細な説明】
【技術分野】
【０００１】
本発明は、ソースやドレッシング等の内容物を収容する容器に用いられるキャップに関する。
【背景技術】
【０００２】
従来、容器用キャップとして、容器口部を閉塞する中栓と、注出口を有し中栓に下降可能に外嵌される注出口部材と、注出口を閉塞する注出口キャップとを備えるものが知られている（例えば、特許文献１参照）。中栓は、容器口部に内挿され内容物の流路を形成する円筒部と、円筒部の上端縁から径方向外方に向かって張り出す肩部と、肩部の周縁から垂下し容器口部に外嵌するカバー部と、カバー部の下端縁に切除可能に接続されカバー部よりも大径に形成された環状の帯状部とからなる。円筒部には流路を閉塞する閉塞板部が破断可能に形成されている。
【０００３】
注出口部材は、注出口を有する天板部と、天板部の周縁から垂下する筒状の周壁部とを備えている。天板部の内面には、注出口部材の下降に伴い閉塞板部を破断して円筒部を開口するための破断筒が注出口に連通して形成されている。又、注出口部材の周壁部の下端縁が帯状部の上端縁に当接することにより、注出口部材の下降を規制し、破断筒が不用意に閉塞板部を破断することを防止している。容器に収容された内容物を取り出す際には、帯状部をカバー部から切除した後、注出口部材を押圧して下降させることにより破断筒が閉塞板部を破断して開栓される。
【０００４】
このような従来の容器用キャップは、注出口部材の周壁部の下端縁が帯状部の上端縁に配置されているため、周壁部の下端縁がカバー部と帯状部との切除可能な接続部分に接触し易い。このため、運搬時の積重等により注出口キャップを介して注出口部材に荷重がかかり、この荷重により帯状部がカバー部から不用意に切除される虞がある。又、一般的に、中栓は、閉塞板部等の破断する部分を備えるため、注出口部材よりも軟質の合成樹脂で成型して容易に破断できるようにしていることが多く、この場合、積重の荷重等を受けた注出口部材の周壁部の下端縁により帯状部が切除される可能性は更に高まる。帯状部が切除されてしまうと、積重の荷重等により注出口部材が押圧されて下降し、破断筒により閉塞板部を破断して、意図せずに開栓してしまう虞がある。このため、カバー部と帯状部との接続部分を、運搬時の積重の荷重等により切除されない強度を保持すると共に、使用者が帯状部を取り除く際には切除しやすいように精密に形成する必要があり、製造が困難であった。
【特許文献１】特開２０００−２６４３５６号公報（第２−３頁、第２図）
【発明の開示】
【発明が解決しようとする課題】
【０００５】
本発明は、以上の点に鑑み、運搬時の積重による荷重等により帯状部が切除されることを防止することができ、且つ製造が容易な容器用キャップを提供することを目的とする。
【課題を解決するための手段】
【０００６】
上記目的を達成するため、本発明は、容器に収容された内容物の流路を形成する円筒部と円筒部の外周に肩部を介して連設し容器口部に外嵌するカバー部とからなる中栓と、注出口を有し中栓に下降可能に嵌合する注出口部材と、注出口を閉塞する注出口キャップとを備え、円筒部には流路を閉塞する閉塞板部が破断可能に形成され、注出口部材には、注出口部材の下降に伴い閉塞板部を破断して円筒部を開口するための破断筒が、注出口に連通して形成された容器用キャップにおいて、前記注出口部材には、径方向外方に張り出す張出部が形成され、前記肩部には、肩部と張出部との間に位置させて、注出口部材の下降を規制する切除可能な帯状部が形成され、帯状部を肩部から切除することにより規制が解除され注出口部材が下降可能となることを特徴とする。
【０００７】
かかる構成によれば、帯状部を肩部から切除して注出口部材の下降規制を解除した後、注出口部材を押圧して下降させ、破断筒により閉塞板部を破断することにより、開栓することができる。帯状部が中栓の肩部に切除可能に形成されているため、従来品のように注出口部材の周壁部の下端縁がカバー部と帯状部との切除可能な接続部分に接触することはない。このため、運搬時の積重による荷重等により帯状部が切除されることを防止することができ、又、従来品のようにカバー部と帯状部と接続部分を精密に形成する必要がなく製造が容易となる。
【０００８】
ここで、中栓と注出口部材の構造としては、中栓を、円筒部の下端縁に径方向外方に張り出す板状の肩部が連設されるように構成し、注出口部材を、注出口と破断筒とを有する天板部とこの天板部の周縁から垂下し外周に径方向外方に張り出す張出部が形成された周壁部とで構成し、周壁部を円筒部に下降可能に外嵌することが考えられる。しかしながら、円筒部の長さを、破断筒が閉塞板部を破断して開口させるために必要な注出口部材の下方への移動量分だけ確保しなければならず、容器用キャップ全体の上下方向の長さが長くなる。
【０００９】
この場合、肩部に注出口部材の周壁部を受け入れる環状溝部を形成すれば、注出口部材の周壁部が環状溝部に入り込む分だけ、肩部の上面より上方に円筒部を突出させる量を減らすことができる。このため、容器用キャップをコンパクトに製造することができ、有利である。
【発明を実施するための最良の形態】
【００１０】
本発明の実施の形態を図１から図４を参照して説明する。図１は本発明の実施形態の容器用キャップを示す断面図、図２は注出口キャップを取り外した状態を示す説明図、図３は図２を注出口側（上方）から示した説明図、図４は開栓した状態を示す断面図である。
【００１１】
本発明の実施形態の容器用キャップ１は、図１に示すように、容器２の口部２１に外嵌される軟質の合成樹脂で成型された中栓３と、注出口４１を有し中栓３に外嵌され中栓３よりも硬質の合成樹脂で成型された注出口部材４と、注出口４１を閉塞する硬質の合成樹脂で成型された注出口キャップ５とからなる。注出口キャップ５は、容器口部２１に螺着されている。
【００１２】
中栓３は、内容物（図示省略）の流路を形成する円筒部３１と、円筒部３１の外周から径方向外方に張り出す肩部３２と、肩部３２の周縁から垂下し容器口部２１に外嵌するカバー部３３とからなる。肩部３２の上面には、切除可能なスコア３４ａを介して環状の帯状部３４が接続されている。図２及び図３に示すように、帯状部３４の外周面の一箇所には、上下方向に亘って破断可能なスコア３４ｂが形成されており、このスコア３４ｂの近傍にタブ３５が形成されている。
【００１３】
又、図１に示すように、肩部３２の上面には、内筒部３１の外周に隣接するように環状溝部３６が形成されている。円筒部３１の内面には、破断可能なスコア３７ａを介して閉塞板部３７が形成され、これにより円筒部３１の流路を閉塞している。円筒部３１の外周面には、上下方向に所定の間隔を存して２箇所に環状の嵌合溝３１ａ、３１ｂが形成されている。
【００１４】
注出口部材４は、天板部４２と天板部４２の周縁から垂下する筒状の周壁部４３とを備える。天板部４２の外面には注出口４１が形成されている。又、天板部４２の内面には、注出口４１と連通する破断筒４４が形成され、円筒部３１に内挿されている。
【００１５】
破断筒４４の下端縁は斜めに傾斜しており、且つ閉塞板部３７のスコア３７ａを破断するために鋭角に尖らせた刃部４４ａが形成されている。破断筒４４の下端縁の最上端部分には刃部４４ａを形成されておらず、代わりに下方に延出された突片４４ｂが形成されている。
【００１６】
周壁部４３の下端部内周面には、径方向内方に突出し、円筒部３１の嵌合溝３１ａに嵌合する環状の突条４３ａが形成されている。周壁部４３の上端部外周面には径方向外方に張り出す張出部４５が形成され、帯状部３４の上端縁に当接している。これにより、注出口部材４の下降が規制される。張出部４５の外周面には、図２及び図３に示すように、径方向外方に張り出す一対の翼片４６，４６が形成されている。
【００１７】
本実施形態の容器用キャップ１を開栓する際には、まず、タブ３５を把持して周方向に引張しスコア３４ｂ、３４ａを破断させながら、帯状部３４を肩部３２から切除し、帯状部３４による注出口部材４の下降規制を解除する。そして、翼片４６、４６を介して注出口部材４を押圧して下降させ、突条４３ａと嵌合溝３１ａとの嵌合を解除し、破断筒４４によりスコア３７ａを破断する。
【００１８】
破断筒４４の下端縁は傾斜しているため、この下端縁の最下端部分から最上端部分に向かって刃部４４ａにより徐々にスコア３７ａが破断される。破断筒４４の下端縁の最上端部分には、刃部４４ａを形成していないため、閉塞板部３７は、円筒部３１と一部が接続したままの状態となる。そして、突片４４ｂが閉塞板部３７を押さえるため、容器２を傾けて内容物を取り出す際に、内容物に押されて閉塞板部３７が円筒部３１を再び閉塞することを防止できる。破断筒４４により閉塞板部３７を破断して開口させると、周壁部４３の突条４３ａは円筒部３１の嵌合溝３１ｂと嵌合する。
【００１９】
注出口部材４の周壁部４３の下部は、図４に示すように、環状溝部３６に入り込むため、環状溝部３６を形成していないものと比較して、肩部３２の上面から上方に突出させる円筒部３１の突出量を短くすることができ、容器用キャップ１の上下方向の長さを短くすることができる。特に、実施形態のように、破断筒４４の下端縁を傾斜させている場合、破断筒４４がスコア３７ａを破断して閉塞板部３７を押し開くために必要な注出口部材４の下方への移動する量は更に多くなるため、有利である。
【００２０】
尚、注出口キャップ５を介して注出口部材４を押圧して下降させるようにしてもよい。注出口キャップ５は容器口部２１に螺着するため、注出口キャップ５を回転させながら、少ない力で容易に注出口部材４を下降させることができる。この場合、注出口キャップ５は、注出口部材４の下方への移動量分だけ少なくとも下方に移動できるように、ゆとりを持たせて容器口部２１と螺着させればよい。
【００２１】
実施形態の容器用キャップ１によれば、従来品のように注出口部材の周壁部の下端縁がカバー部と帯状部との切除可能な接続部分に接触することがないため、運搬時の積重の荷重等により帯状部３４が切除されることを防止することができる。又、肩部３２と帯状部３４との接続部分であるスコア３４ａを従来品のように精密に形成する必要がないため、製造が容易となる。
【００２２】
尚、実施形態の容器用キャップ１においては、注出口部材４として周壁部４３を有するものを説明したが、これに限られず、注出口部材４は、周壁部４３を有しなくてもよい。この場合、例えば、円筒部３１の上端部内周面に径方向内方に突出する環状の突条を形成し、破断筒４４の外周に上下方向に所定の間隔を存して２箇所に環状の嵌合溝を形成し、天板部４２の外周縁に径方向外方に張り出す張出部４５を形成する。そして、帯状部３４の上端縁が張出部４５に下方から当接して注出口部材４の下降を規制しているときには、円筒部３１の突条と破断筒４４の下方の嵌合溝とが嵌合するようにし、規制が解除されて注出口部材４が下降し閉塞板部３７を破断して開口させたときには、円筒部３１の突条と破綻筒４４の上方の嵌合溝とが嵌合するように構成すればよい。
【図面の簡単な説明】
【００２３】
【図１】本発明の実施形態の容器用キャップを示す断面図。
【図２】注出口キャップを取り外した状態を示す説明図。
【図３】図２を注出口側（上方）から示した断面図。
【図４】開栓した状態を示す説明図。
【符号の説明】
【００２４】
１…容器用キャップ、  ２１…容器口部、  ３…中栓、  ３１…円筒部、  ３２…肩部、  ３３…カバー部、  ３４…帯状部、  ３６…環状溝部、  ３７…閉塞板部、  ４…注出口部材、  ４１…注出口、  ４２…天板部、  ４３…周壁部、  ４４…破断筒、  ４５…張出部、  ５…注出口キャップ。
【図１】
2006341866.tif 000003
【図２】
2006341866.tif 000004
【図３】
2006341866.tif 000005
【図４】
2006341866.tif 000006